(57)【要約】【課題】ワイヤドラム、ワイヤドラムを駆動するギヤ及びケーシングの中心合わせが容易で、ワイヤドラムの回転中心のずれを防ぐウィンドウレギュレータのワイヤドラム支持構造を提供すること。【解決手段】ワイヤ巻取り・巻き戻し用のワイヤドラム２をケーシング６内に収納し、ワイヤドラム２の中心に透孔７を形成し、ワイヤドラム２を回動駆動させるギヤ８を中心軸９の周囲に回動自在に嵌合し、透孔７の内周面とギヤ８の外周面を噛合し、ケーシング６の内面に、ワイヤドラム２を回動自在に支持する筒部１０を突設し、筒部１０をワイヤドラム２の透孔７へ挿入して中心軸９に外嵌してある。【選択図】図２
2010150865.tif 000002
【特許請求の範囲】
【請求項１】
ワイヤ巻取り・巻き戻し用のワイヤドラムをケーシング内に収納し、前記ワイヤドラムの中心に透孔を形成し、前記ワイヤドラムを回動駆動させるギヤを中心軸の周囲に回動自在に嵌合し、前記ワイヤドラムの透孔の内周面と前記ギヤの外周面とを噛合し、前記ケーシングの内面に、前記ワイヤドラムを回動自在に支持する筒部を突設し、該筒部を前記ワイヤドラムの透孔へ挿入すると共に、前記中心軸に外嵌してあることを特徴としたウィンドウレギュレータのワイヤドラム支持構造。
【発明の詳細な説明】
【技術分野】
【０００１】
本発明は、ウィンドウレギュレータのワイヤドラム支持構造に関する。
【背景技術】
【０００２】
自動車のサイドウィンドウを開閉する装置として、ワイヤ式のウィンドウレギュレータが知られている。
このウィンドウレギュレータは、ウィンドウガラスの昇降方向に沿ってガイドレールを配置し、ガイドレールの上下端部に装着したガイドプーリにワイヤを掛け回すと共に、ガイドレールに沿って摺動するキャリアプレートをワイヤに固定し、キャリアプレートでウィンドウガラスの下端を支持し、ワイヤをワイヤドラムで巻き取り・巻き戻すことによりウィンドウガラスを昇降させるようになっている。
【０００３】
このようなウィンドウレギュレータのワイヤドラムは、電動モータ、ギヤ等から成る駆動部に連絡されると共に、ワイヤドラムの中心とその外面を覆うケーシングに設けた軸受けとを凹凸嵌合することにより、回動自在に支持されていることが多い（特許文献１及び特許文献２参照）。
しかし、ワイヤドラムの中心を支持するケーシングの設置位置がずれると、ワイヤドラムの回転中心がぶれてしまうので、ケーシングのベース等に対する固定箇所及びワイヤドラム支持部は精密に位置決めしなければならず、このため、部材加工及び組み立てに手間がかかった。
【０００４】
【特許文献１】特開平９−２４２４２０号公報
【特許文献２】特開２００２−３０９８４３号公報
【発明の開示】
【発明が解決しようとする課題】
【０００５】
本発明が解決しようとする課題は、ワイヤドラム、ワイヤドラムを駆動するギヤ及びケーシングの中心合わせが容易で、ワイヤドラムの回転中心のずれを防ぐウィンドウレギュレータのワイヤドラム支持構造を提供することにある。
【課題を解決するための手段】
【０００６】
本発明のウィンドウレギュレータのワイヤドラム支持構造は、ワイヤ巻取り・巻き戻し用のワイヤドラムをケーシング内に収納し、前記ワイヤドラムの中心に透孔を形成し、前記ワイヤドラムを回動駆動させるギヤを中心軸の周囲に回動自在に嵌合し、前記ワイヤドラムの透孔の内周面と前記ギヤの外周面とを噛合し、前記ケーシングの内面に、前記ワイヤドラムを回動自在に支持する筒部を突設し、該筒部を前記ワイヤドラムの透孔へ挿入すると共に、前記中心軸に外嵌してある。
【発明の効果】
【０００７】
本発明によれば、筒部を中心軸に外嵌するだけでワイヤドラム、ケーシング及びギヤを簡単に、且つ、正確に中心合わせすることができるので、ワイヤドラムの回転芯がずれる心配がなく、また、ケーシングの固定箇所及び筒部の位置も高度な寸法精度を要求されないため、部材加工及び組み立ての手間が軽減される。
さらに、ギヤを支持する中心軸を利用して、ケーシングの位置決めを行なうので、構造が簡単で済む。
【発明を実施するための最良の形態】
【０００８】
以下、本発明の実施例を図面に基づいて詳細に説明する。
本発明のウィンドウレギュレータは、自動車のドアパネルに内蔵され、図１に示すように、ウィンドウガラスの昇降方向に沿って配置した前後一対のガイドレール１と、電動モータの出力軸に減速器を介して連絡されたワイヤドラム２と、ワイヤドラム２に巻き回され、ガイドレール１の裏面上下端部にそれぞれ設置したガイドプーリ３間に架設されたワイヤ４と、前後のガイドレール１にそれぞれ摺動自在に係合し、ウィンドウガラスの下部に固定されたキャリアプレート５とを備える。
【０００９】
ワイヤ４は、一方のキャリアプレート５から一方のガイドレール１の上端に装着されたガイドプーリ３を通過し、他方のガイドレール１の下端部に装着したガイドプーリ３を経て、他方のキャリアプレート５に達し、さらに、他方のキャリアプレート５から他方のガイドレール１の上端に装着されたガイドプーリ３を通過し、一方のガイドレール１の下端部に装着したガイドプーリ３を経て、一方のキャリアプレート５に達している。
そして、ワイヤ４は前後のガイドレール１の間で交差しており、ワイヤドラム２を回転させるとワイヤ４のガイドレール１に沿う部分は上下方向に移動する。この結果、ワイヤ４に固定されたキャリアプレート５は同時にガイドレール１に沿って移動し、ウィンドウガラスが昇降する。
【００１０】
図１及び図２に示すように、電動モータ、減速器、ワイヤドラム２、及び、ワイヤドラム２が収納されたケーシング６はベース１１上に設置され、ケーシング６はベース１１にネジ等により固定されている。
図２に示すように、ワイヤドラム２の中心には、断面円形で内周面に多数の歯を有する透孔７が軸方向に沿って形成されている。
また、ワイヤドラム２の透孔７には、減速器の末端に位置するギヤ８が嵌合され、ワイヤドラム２の透孔７の内周面とギヤ８の外周面とが噛み合っている。
【００１１】
ギヤ８は中心軸９の周囲に回動自在に嵌合され、この中心軸９がギヤ８を貫通して突出すると共に、ワイヤドラム２の透孔７に挿入されている。
ケーシング６の内面には断面円形の筒部１０が突設される。この筒部１０は、ワイヤドラム２を回動自在に支持する軸受けとなっており、ワイヤドラム２の透孔７に挿入されている。
また、筒部１０の先端部は、ギヤ８から突出した中心軸９に外嵌している。
筒部１０を中心軸９に外嵌することにより、ケーシング６はギヤ８及びワイヤドラム２に対して正確な位置に設置されるので、ケーシング６とベース１１との固定箇所を精密に位置決めしなくても良い。
【００１２】
電動モータを駆動すると、減速器の末端に位置したギヤ８が中心軸９の周囲を回動し、ギヤ８と噛み合ったワイヤドラム２が筒部１０の周囲を回動する。
この時、筒部１０は中心軸９に外嵌されているので、ギヤ８の回転中心となる中心軸９と、ワイヤドラム２の回転中心となる筒部１０とが位置ずれすることはない。
そして、ワイヤドラム２は回動に伴ってワイヤ４を巻取り或いは巻き戻し、これにより、ウィンドウガラスが昇降する。
【図面の簡単な説明】
【００１３】
【図１】本発明の実施例に係るウィンドウレギュレータの正面図である。
【図２】本発明の実施例に係るウィンドウレギュレータの断面図である。
【符号の説明】
【００１４】
１  ガイドレール
２  ワイヤドラム
３  ガイドプーリ
４  ワイヤ
５  キャリアプレート
６  ケーシング
７  透孔
８  ギヤ
９  中心軸
１０  筒部
１１  ベース
【図１】
2010150865.tif 000003
【図２】
2010150865.tif 000004